(57)【要約】【課題】掃除機本体に対して容易に電池交換を行うことができる電気掃除機を提供すること。【解決手段】電動送風機と、この電動送風機を収容する筐体と備え、  前記筐体の後部には、前記電動送風機に電力を供給する電池が着脱可能に取り付けられる電池装着用凹部が設けられると共に、前記電池装着用凹部の下部に指差込み用凹部が連設されていることを特徴とする電気掃除機。【選択図】図６
2015084809.tif 000002
【特許請求の範囲】
【請求項１】
電動送風機と、この電動送風機を収容する筐体と備え、
前記筐体の後部には、前記電動送風機に電力を供給する電池が着脱可能に取り付けられる電池装着用凹部が設けられると共に、前記電池装着用凹部の下部に指差込み用凹部が連設されていることを特徴とする電気掃除機。
【請求項２】
前記指差込み用凹部の左右方向の幅が前記電池装着用凹部の左右方向の幅よりも狭く設定されている請求項１に記載の電気掃除機。
【請求項３】
前記指差込み用凹部の奥側のスペースが開口側のスペースより狭く設定された請求項１または２に記載の電気掃除機。
【請求項４】
前記指差込み用凹部の開口の左右両側のスペースが中央のスペースよりも狭く設定された請求項１〜３のいずれか１つに記載の電気掃除機。
【請求項５】
前記指差込み用凹部を複数個設けると共に、指差込み用凹部間に仕切り壁を設けた請求項１〜４のいずれか１つに記載の電気掃除機。
【発明の詳細な説明】
【技術分野】
【０００１】
本発明は、電気掃除機に関する。
【背景技術】
【０００２】
電気掃除機としては、掃除機本体内にコードリールを内蔵するものが一般的であるが、掃除機本体にバッテリーが着脱可能に取り付けられるものも提案されている。
これに関し、特許文献１には、集塵室を内蔵した下ケースと電動送風機を内蔵した上ケースとがクランプにて係脱可能に接続されてなる掃除機本体と、掃除機本体に接続された集塵用ホースと、上ケースのバッテリー収納室内に着脱可能に収納されるバッテリーパックとを備え、バッテリー収納室内のバッテリーパックを上方へ引き出して容易に電池交換を行うことができる電気掃除機が記載されている。
【先行技術文献】
【特許文献】
【０００３】
【特許文献１】特開２００３−２３５７７２号公報
【発明の概要】
【発明が解決しようとする課題】
【０００４】
特許文献１の電気掃除機は、クランプのロックを解除して上ケースを開き、下ケース内からゴミが溜まった袋を取り出してゴミを廃棄するように構成されている。
一方、現在の家庭用の電気掃除機は紙パック方式とサイクロン方式が主流である。
【０００５】
紙パック方式の電気掃除機としては、掃除機本体の筐体における前方上部を覆うカバーを開いてゴミが溜まった紙パックを内部から取り出して新しい物と交換するように構成されたものがある。
【０００６】
サイクロン方式の電気掃除機としては、ダストカップが掃除機本体の前部に着脱可能に設けられており、ダストカップを掃除機本体から上方へ引き出して内部のゴミを廃棄できるように構成されているものがある。
【０００７】
家庭用の電気掃除機はコンパクト化される傾向にあるため、特許文献１の電気掃除機のように掃除機本体の中央位置にバッテリーを設けて上方へ離脱可能とするとコンパクト化し難くなる。また、掃除機本体の中央位置にバッテリーを設けているため、バッテリーを着脱するときにバッテリーを持ち上げ易いように構造上工夫が必要となる。
【０００８】
本発明は、以上のような事情を考慮してなされたものであって、掃除機本体に対して容易に電池交換を行うことができる電気掃除機を提供することを目的とする。
【課題を解決するための手段】
【０００９】
かくして、本発明によれば、電動送風機と、この電動送風機を収容する筐体と備え、
前記筐体の後部には、前記電動送風機に電力を供給する電池が着脱可能に取り付けられる電池装着用凹部が設けられると共に、前記電池装着用凹部の下部に指差込み用凹部が連設されている電気掃除機が提供される。
【発明の効果】
【００１０】
電池装着用凹部および指差込み用凹部は掃除機本体の後部に設けられるため、掃除機本体の小型化に有利となる。
また、電池装着用凹部に取り付けられた電池の厚みが薄いために電池の左右側面が十分に露出していない場合、ユーザーが左右側面を掴んで電池を電池装着用凹部から取り外すことは困難であるが、指差込み用凹部に指を差し込んで電池を引き上げることにより電池装着用凹部から容易に取り外すことができる。
【図面の簡単な説明】
【００１１】
【図１】この発明の実施形態１に係る電気掃除機の外観斜視図である。
【図２】図１に示す電気掃除機の掃除機本体の正面図である。
【図３】図１に示す電気掃除機の掃除機本体の背面図である。
【図４】図３に示した掃除機本体から電池を取り外した状態を示す背面図である。
【図５】図４に示した電池を取り外した掃除機本体の平面図である。
【図６】図５のＡ−Ａ矢視断面図である。
【図７】実施形態１の掃除機本体から電池を取り外す状態を説明する図である。
【図８】図１に示す電気掃除機の掃除機本体の側面図である。
【図９】実施形態１の掃除機本体に備えられる集塵ユニットの外観斜視図である。
【図１０】図９に示す集塵ユニットの縦断面図である。
【図１１】実施形態１の掃除機本体における空気流の流路を示す説明図である。
【図１２】実施形態２の掃除機本体における指差込み用凹部の断面形状を説明する図である。
【図１３】実施形態３の掃除機本体における指差込み用凹部の開口形状を説明する図である。
【図１４】実施形態４の掃除機本体における指差込み用凹部の開口形状を説明する図である。
【図１５】実施形態５の掃除機本体における指差込み用凹部の開口形状を説明する図である。
【発明を実施するための形態】
【００１２】
以下、図面を用いてこの発明をさらに詳述する。なお、以下の説明は、すべての点で例示であって、この発明を限定するものと解されるべきではない。
【００１３】
（実施形態１）
〔掃除機本体の全体説明〕
図１はこの発明の実施形態１に係る電気掃除機の外観斜視図であり、図２は図１に示す電気掃除機の掃除機本体の正面図であり、図３は図１に示す電気掃除機の掃除機本体の背面図である。また、図４は図３に示した電気掃除機における電池を取り外した状態を示す背面図であり、図５は図４に示した電池を取り外した掃除機本体の平面図であり、図６は図５のＡ−Ａ矢視断面図である。また、図７は実施形態１の掃除機本体から電池を取り外す状態を説明する図であり、図８は図１に示す電気掃除機の掃除機本体の側面図である。
【００１４】
これらの図に示すように、電気掃除機１は、車輪を有する掃除機本体１００と、吸引ホース部３００とを備える。
掃除機本体１００は、電動送風機１０６を前部に内蔵すると共に、サイクロン方式の集塵ユニット５００を離脱可能に中間部に内蔵し、さらに、電動送風機１０６に電力を供給する電源としての電池Ｂが後部に着脱可能に設けられる。なお、本発明の電気掃除機１は、専用の電池Ｂを構成要素として備えてもよく、特定の市販の電池に対応した構成であってもよい。
【００１５】
吸引ホース部３００は、吸引ホース３０１と、延長パイプ３０２と、延長パイプ３０２の先端に接続される吸込口体３０３と、手元ハンドル３０４と、手元ハンドル３０４に付設された操作部３０５と、接続部３０６を備える。
【００１６】
吸引ホース３０１は接続部３０６を介して掃除機本体１００の前方に離脱可能に接続され、ユーザーは手元ハンドル３０４を手で保持しながら延長パイプ３０２の先端の吸込口体３０３を床面Ｇに接触させながら移動させることができる。
吸込口体３０３は、底面に吸込口を有すると共に、吸込口に回転ブラシを有している。なお、吸込口体３０３内にブラシ駆動モータを設けて回転ブラシを回転させるようにしてもよく、この場合、電池Ｂはブラシ駆動モータにも電力を供給する。
【００１７】
図２と図１１に示すように、掃除機本体１００の前面側には、吸引ホース部３００の接続部３０６を挿入させて横中継ダクト１０４ａとパッキン（図示省略）を介して接続させるための開口部１０７ａと、接続部３０６の端子（図示省略）を掃除機本体１００と接続するターミナル部１０７ｂと、手提げハンドル１１５とを有している。なお、掃除機本体１００の回路基板Ｋ1、Ｋ2（図６参照）と吸引ホース部３００の操作部３０５（図１参照）とは、吸引ホース部３００の接続部３０６の前記端子およびターミナル部１０７ｂを介した配線で接続される。
【００１８】
掃除機本体１００において、車輪は、左右両側面に配置された一対の大型リング状の車輪１４０と、前方下部に配置された小型ローラ形の前輪１１７と、後方下部に配置された後輪としての回転・旋回自在なキャスターである自在車輪１１８とを有してなる。そのため、使用者が手元ハンドル３０４を手で保持して移動するとき、掃除機本体１００はその動作に追随することができる。なお、掃除機本体１００が床面Ｇ上を走行可能に接地した状態において、前方とは掃除機本体１００を前進させる方向であり、後方とは掃除機本体１００を後退させる方向であり、上方とは床面Ｇと反対側の方向であり、下方とは床面Ｇ側の方向であり、左右方向とは前後方向に対して両側へ直交する方向である。
【００１９】
また、掃除機本体１００は、図８に示す自由状態において一対の車輪１４０および後輪１１８によって支持され、図６の示す吸引ホース３０１にて前方へ引かれた状態において一対の車輪１４０および前輪１１７によって支持される。すなわち、自由状態では前輪１１７は床面Ｇから浮き上がり、図６に示す状態のときに自在車輪１１８は床面Ｇから浮き上がる。
【００２０】
掃除機本体１００は、床面Ｇの塵挨を空気と共に吸込口体３０３から延長パイプ３０２と吸引ホース３０１を介して集塵ユニット５００へ吸引するようになっている。集塵ユニット５００の左右両側にはリング状車輪本体１１０が配されている。
【００２１】
ユーザーは掃除機本体１００内部の集塵ユニット５００の集塵状況をリング状車輪本体１１０の中央開口１４１から目で確認し、適宜、集塵ユニット５００を掃除機本体１００の上部から引出して集塵ユニット５００に集められた塵挨を廃棄することができる。
また、掃除機本体１００は手提げハンドル１１５を備えるので、ユーザーは手提げハンドル１１５を把持し、掃除機本体１００を持ち上げて運搬することが可能である。
【００２２】
掃除機本体１００は、複数の部材からなる筐体１０１を備えると共に、吸引ホース部３０１が接続され旋回気流によって集塵する前記集塵ユニット５００と、集塵ユニット５００の前方に配置され吸引ホース部３０１から集塵ユニット５００を介して空気を吸引する電動送風機１０６と、電動送風機１０６へ電力を供給するための電池Ｂと、電動送風機１０６と電気的に接続された回路基板Ｋ1、Ｋ2とを筐体１０１の内部に備える。
【００２３】
掃除機本体１００の筐体１０１内における集塵ユニット５００の下部および後部に電動送風機１０６からの排気を排気口１３３に導く下部流路１３８および後部流路１３９が形成されている（図６、１１参照）。そして、下部流路１３８と後部流路１３９とを有する排気流路内に回路基板Ｋ1、Ｋ2が配置されている。
【００２４】
自在車輪１１８は、車輪１１８ａと、車輪１１８ａを回転自在に保持する円盤形状の自在フレーム１１８ｂとを有し、筐体１０１の底壁に旋回自在に取り付けられている。なお、底壁には、自在車輪１１８の自在フレーム１１８ｂをボルト・ナット結合にて旋回自在に取り付けるための中心孔を有する円形凹部が形成されている。
【００２５】
筐体１０１の円弧状の後壁１０９において、その左右中間位置には電池装着用凹部１０９ａが形成され、電池装着用凹部１０９ａの下部には指差込み用凹部１０９ｂが連通状に形成され、電池装着用凹部１０９ａおよび指差込み用凹部１０９ｂの左右両側に複数の小孔からなる排気口１３３が形成されている。
【００２６】
電池装着用凹部１０９ａは、後壁１０９の左右中間位置を前方へ凹ませたように形成された上方および後方に開口する凹部であり、奥壁１０９ａ1と、左右側壁１０９ａ2と、指差込み用凹部１０９ｂの左右側に位置する底壁１０９ａ3とを有している。すなわち、指差込み用凹部１０９ｂの左右方向の幅Ｗ２は、電池装着用凹部１０９ａの左右方向の幅Ｗ１よりも狭く設定されている。なお、後壁１０９は湾曲しているため、電池装着用凹部１０９ａの奥行きは下部から上部へ向かうにつれて浅くなっている。
【００２７】
本実施形態では、電池装着用凹部１０９ａの左右方向の幅Ｗ１は凹部１０９ａに装着される電池Ｂの幅と同程度に設定され、凹部１０９ａの上下方向の長さは電池Ｂの長さより少し短く設定され、凹部１０９ａの前後方向の奥行きは電池Ｂの厚さとほぼ同じに設定されている場合を例示しているが、凹部１０９ａのサイズはこれに限定されるものではない。
【００２８】
また、電池装着用凹部１０９ａの奥壁１０９ａ1には、電池装着用凹部１０９ａに取り付けられた電池Ｂの正負電極ｂ1、ｂ2（図３参照）と電気的に接続する正負極端子Ｅ1、Ｅ2が設けられている。
本実施形態の場合、使用される電池Ｂは厚みが４０ｍｍ程度、左右方向の幅が７５ｍｍ程度、上下方向の長さが１１５ｍｍ程度の扁平ブロック形の二次電池であり、この電池Ｂの広い一面には正負電極ｂ1、ｂ2が設けられると共に、正負電極ｂ1、ｂ2の間に温度検出用電極ｂ3が設けられている。
【００２９】
そのため、この電池装着用凹部１０９ａの奥壁１０９ａ1における正負極端子Ｅ1、Ｅ2の間には、電池Ｂの温度検出用電極ｂ3と電気的に接続する温度検出用極端子Ｅ3が設けられている。なお、正負極端子Ｅ1、Ｅ2は回路基板Ｋ1、Ｋ2の駆動系回路と電気的に接続され、温度検出用端子Ｅ3は回路基板Ｋ1、Ｋ2の保護系回路と電気的に接続されている。
【００３０】
また、図示省略するが、電池装着用凹部１０９ａにおける左右側壁１０９ａ2には上下方向に溝が設けられており、一方、電池Ｂの左右側面には凸部が設けられている。電池Ｂを電池装着用凹部１０９ａに上方から差し込むようにして取り付ける際、電池Ｂの左右側面の凸部が電池装着用凹部１０９ａの左右側壁１０９ａ2の溝に上方からスライドしながら嵌り込む。これにより、電池Ｂの電池装着用凹部１０９ａからの脱落が防止される。
【００３１】
このとき、電池Ｂの下端面Ｂａが電池装着用凹部１０９ａの左右の底壁１０９ａ3に当接することによって電池Ｂが支持される。また、正負極端子Ｅ1、Ｅ2および温度検出用極端子Ｅ3は板バネのように構成されているため、電池Ｂの正負電極ｂ1、ｂ2および温度検出用電極ｂ3に圧接する。
【００３２】
なお、本実施形態では、電池Ｂの正負電極ｂ1、ｂ2および温度検出用電極ｂ3と、電池装着用凹部１０９ａの正負極端子Ｅ1、Ｅ2および温度検出用電極ｂ3とを単純化して説明したが、このような形態に限定されるものではない。例えば、電池Ｂの正負電極ｂ1、ｂ2および温度検出用電極ｂ3は、ユーザーが直接触れることができない形態であることが好ましい。なお、電池Ｂの正負電極ｂ1、ｂ2および温度検出用電極ｂ3と、電池装着用凹部１０９ａの正負極端子Ｅ1、Ｅ2および温度検出用電極ｂ3とは、凹部１０９ａへの電池装着時に相互に電気的に接触する形態であることは言うまでもない。
【００３３】
電池装着用凹部１０９ａに電池Ｂが装着されることにより、電池Ｂの左右側面の下半部分および上半部分の一部は凹部１０９ａによって隠れてしまう。したがって、充電器にて充電するために電池Ｂを電池装着用凹部１０９ａから取り出す際に、電池Ｂの左右側面の露出した上半部分を指で掴み難く、電池Ｂを容易に凹部１０９ａから引き上げて取り出すことができ難くなる。また、電池装着用凹部１０９ａの奥行きを下部から上部に向かうにつれて同じにすると、凹部１０９ａに装着した電池Ｂの左右側面が全て隠れてしまい、そうすると電池Ｂの左右側面を掴んで引き上げることはできなくなる。
【００３４】
そのため、本発明では、電池装着用凹部１０９ａに取り付けられた電池Ｂの下端面Ｂａの下方位置に、指を差し込むためのスペースとしての指差込み用凹部１０９ｂを設けている。これにより、図７に示すように、ユーザーは指（例えば、人差し指１本あるいは人差し指と中指の２本）を指差込み用凹部１０９ｂに差し込み、指Ｆで電池Ｂを押し上げることにより簡単に電池装着用凹部１０９ａから取り出すことができる。なお、この際、操作部３０５に設けられた運転スイッチをＯＦＦした状態で電池Ｂを電池装着用凹部１０９ａから取り出すが、さらに、掃除機本体１００に電源スイッチを設け、電源スイッチをＯＦＦした状態で電池Ｂを電池装着用凹部１０９ａから取り出すようにしてもよい。なお、電池装着用凹部１０９ａから取り外された電池Ｂは、商用電源に接続された充電器にセットして充電される。
【００３５】
後壁１０９の上端側にはＬＥＤカバー１０８が設けられており、このＬＥＤカバー１０８の内側にＬＥＤ基板Ｌが設けられている。このＬＥＤ基板Ｌは、バッテリー表示ランプＬ1、お知らせ表示ランプＬ2およびＥＣＯ表示ランプＬ3を備える（図５参照）。ＬＥＤカバー１０８は、これらのランプＬ1〜Ｌ3の光を透過させる透光性部分を有している。
【００３６】
バッテリー表示ランプＬ1は、発光色の変わるＬＥＤを用いて蓄電池Ｂが供給する電池電圧のレベルや充電完了を表示する。一例では、満充電後電池電圧が十分高いときは緑色に点灯し、使用に伴って蓄電池Ｂの残容量が減り電池電圧が降下するにつれて表示色が緑色から黄色を経て赤色に変わり、充電が必要な時期をユーザーに知らせる。さらに充電中は赤色点滅し、充電が完了すると緑色に点灯して充電の完了をユーザーに知らせる。お知らせ表示ランプＬ2は、ユーザーへのお知らせがあるときに点灯する。お知らせ表示ランプＬ2が点灯した状態で操作部３０５（図１参照）の「切」ボタンが操作されると、回路基板Ｋ1またはＫ2に設けられた制御部は、お知らせの内容に対応した音声データを再生してユーザーに知らせる。ＥＣＯ表示ランプＬ3は、操作部３０５の「入」ボタンが操作されてエコモードで動作中に点灯する。エコモードは、掃除の場所が絨毯かフローリングかに応じて制御部が電動送風機１０６の吸込力を切換えるモードである。さらに、エコモードで動作中に吸込口体３０３が床から離れると、制御部はそれに応答して吸込口体３０３に設けられた図示しないブラシ駆動モータを停止させる。制御部は、ブラシ駆動モータの負荷によって掃除の場所を判断する。
【００３７】
〔集塵ユニットの説明〕
図９は実施形態１の掃除機本体に備えられる集塵ユニットの外観斜視図であり図１０は図９に示す集塵ユニットの縦断面図である。
集塵ユニット５００は、カップカバーユニット５７０、フィルターユニット５５０、内筒ユニット５３０および有底円筒状のダストカップ５０１を有する。
【００３８】
ダストカップ５０１は集塵状況が外部から目視可能なように透明または半透明の樹脂で形成される。図９に示すようにダストカップ５０１の前部の周面には吸引ホース部３００（図１参照）からの空気流が流入する流入口５０３が設けられる。
【００３９】
図１と図２と図６を参照すると、吸引ホース部３００の接続部３０６は、円筒状のダストカップ５０１の内部円周面にその接線方向から真直ぐに空気が流入するように掃除機本体１００の中心から偏って屈曲している。
【００４０】
図１０を参照すると、内筒ユニット５３０は、フィルターユニット５５０を収容する上部のカップカバー５３７、下部のダスト仕切り５３５およびその間を接続する内筒５３３からなる。内筒５３３が接続されるカップカバー５３７の底部には開口が形成されている。内筒５３３の周にはスリット状の流出口５３３ｂが形成され、流出口５３３ｂにはメッシュ状のフィルター（図示省略）が配置されている。ダスト仕切５３５は内筒５３３より外径の大きいフランジ部５３５ａ、フランジ部の外周を囲む大径筒部５３５ｂおよびダストカップ５０１の底面中央部に下端が接する小径筒部５３５ｃからなる。
【００４１】
電動送風機１０６が作動すると、空気流は接続部３０６と横中継ダクト１０４ａ（図１１参照）を介してダストカップ５０１に周接線方向に真直ぐに流入し、ダストカップ５０１内に高速の旋回気流を形成する。
【００４２】
これにより、空気流に含まれる塵埃が遠心分離される。集塵ユニット５００は、形成する旋回気流の中心軸が重力方向を向くように設置されているので、遠心分離された塵埃のうち、重いものは重力の作用によりフランジ部５３５ａの下方に集積される。
ここで、集塵ユニット５００の旋回気流の中心軸が重力方向を向くとは、旋回気流の中心軸が真下を向いている必要はなく、集塵ユニット５００が縦方向にて掃除機本体１００に配置されていればよい。
【００４３】
軽いものは空気流と共に流出口５３３ｂに配置されたメッシュ状フィルターで濾過される。また、微少な塵埃は流出口５３３ｂを介して内筒５３３を上昇しフィルターユニット５５０によりろ過される。フィルターユニット５５０は山部と谷部とが連続するプリーツ状フィルターから構成される。ろ過された空気流は流出ダクト５７１を介して電動送風機１０６へ吸引される。
なお、集塵ユニット５００は、塵埃を遠心分離して集塵するものであるがこれに限定するものではない。例えば、紙パックを使用して集塵するものでもよい。
【００４４】
このように構成された掃除機本体１００は、図８に示すように、吸引ホース３０１が取り外された自由状態において一対の車輪１４０の車輪本体１１０および自在車輪１１８によって支持され、図６に示すように、吸引ホース３０１にて前方へ引かれた状態において一対の車輪１４０の車輪本体１１０および前輪１１７によって支持される。すなわち、このような状態となるように、掃除機本体１００の重心位置が設定されている。このようにすれば、掃除機本体１００の前方側の浮き上がりを抑えながら段差乗り越え性能を高めることができる。
【００４５】
図１１は実施形態１の掃除機本体における空気流の流路を示す説明図である。図６と図１０と図１１に示すように、吸引ホース３０１からの空気流は、接続部３０６および横中継ダクト１０４ａを介して電動送風機１０６の上方を通って集塵ユニット５００へ流入する。
【００４６】
流入した空気流は集塵ユニット５００のダストカップ５０１内で旋回流となる。そして、集塵の遠心分離が行われた後、空気流は内筒５３３の内部を上昇し、フィルターユニット５５０を通過して電動送風機１０６を通り、集塵ユニット５００の下方の下部流路１３８に入る。旋回軸は鉛直方向に対して上方がやや後方へ傾いている。図１１のように側面から見た場合、接続部３０６からダストカップ５０１へ流入する流路は旋回軸とほぼ直交している。
【００４７】
そして、空気流は下部流路１３８内を回路基板Ｋ1、Ｋ2を冷却しながら通過した後、空気流は後部流路１３９内に流入し排気口１３３から外部へ排出する。なお、後部流路１３９内にイオン発生器Ｐを設け、イオン発生器Ｐにて発生したイオンと共に空気流を排気口１３３から外部へ排出してもよい。
【００４８】
（実施形態２）
図１２は実施形態２の掃除機本体における指差込み用凹部の断面形状を説明する図である。
実施形態１（図７参照）では、指差込み用凹部１０９ｂの開口側と奥側のスペースは同程度である場合を例示したが、図１２に示すように、指差込み用凹部２０９ｂの奥側のスペースを開口側のスペースより狭くしてもよい。このようにすれば、指差込み用凹部２０９ｂの奥のデッドスペースを低減することができる。
【００４９】
（実施形態３）
図１３は実施形態３の掃除機本体における指差込み用凹部の開口形状を説明する図である。
実施形態１（図４参照）では、指差込み用凹部１０９ｂの開口が長方形である場合を例示したが、図１３に示すように、指差込み用凹部３０９ｂの開口の左右両側を中央よりも狭くしてもよい。このようにすれば、例えば、指１本を指差込み用凹部３０９ｂに差し込んだときの指差込み用凹部３０９ｂ内のデッドスペースを低減することができる。なお、実施形態３でも、実施形態２のように指差込み用凹部３０９ｂの奥側のスペースを開口側のスペースより狭くしてもよく、このようにすればさらにデッドスペースを低減することができる。
【００５０】
（実施形態４）
図１４は実施形態４の掃除機本体における指差込み用凹部の開口形状を説明する図である。
図１４に示すように、指差込み用凹部４０９ｂの開口を半楕円形にしてもよい。このようにしても、例えば、指１本を指差込み用凹部４０９ｂに差し込んだときの指差込み用凹部４０９ｂ内のデッドスペースを低減することができる。なお、実施形態４でも、実施形態２のように指差込み用凹部４０９ｂの奥側のスペースを開口側のスペースより狭くしてもよく、このようにすればさらにデッドスペースを低減することができる。
【００５１】
（実施形態５）
図１５は実施形態５の掃除機本体における指差込み用凹部の開口形状を説明する図である。
実施形態１（図４参照）では、指差込み用凹部１０９ｂを１個設けた場合を例示したが、図１５に示すように、指差込み用凹部５０９ｂを複数個設けてもよい。実施形態５では、２本の指（例えば、人差し指と中指）を差し込むことができるよう指差込み用凹部５０９ｂを２個設けた場合を例示している。
このようにすれば、２個の指差込み用凹部５０９ｂの間の仕切り壁５０９ｃによっても電池Ｂ（図３参照）を支持することができる。また、指２本を差し込むことができるように２個の指差込み用凹部があるのでユーザーに促すことができる。なお、実施形態５でも、実施形態２のように指差込み用凹部５０９ｂの奥側のスペースを開口側のスペースより狭くしてもよい。
【００５２】
（まとめ）
本発明の電気掃除機は、電動送風機と、この電動送風機を収容する筐体と備え、
前記筐体の後部には、前記電動送風機に電力を供給する電池が着脱可能に取り付けられる電池装着用凹部が設けられると共に、前記電池装着用凹部の下部に指差込み用凹部が連設されている。
本発明の電気掃除機は、次のように構成されてもよい。
【００５３】
（１）前記指差込み用凹部の左右方向の幅が前記電池装着用凹部の左右方向の幅よりも狭く設定されてもよい。
このようにすれば、電池装着用凹部の底壁にて電池を支持することができる。
【００５４】
（２）前記指差込み用凹部の奥側のスペースが開口側のスペースより狭く設定されてもよい。
このようにすれば、指差込み用凹部の奥のデッドスペースを低減することができる。
【００５５】
（３）前記指差込み用凹部の開口の左右両側のスペースが中央のスペースよりも狭く設定されてもよい。
このようにすれば、指１本を指差込み用凹部に差し込んだときの指差込み用凹部内のデッドスペースを低減することができる。
【００５６】
（４）前記指差込み用凹部を複数個設けると共に、指差込み用凹部間に仕切り壁を設けてもよい。
このようにすれば、２個の指差込み用凹部の間の仕切り壁によっても電池を支持することができる。
【００５７】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５８】
１  電気掃除機
１００  掃除機本体
１０１  筐体
１０６  電動送風機
１０９ａ  電池装着用凹部
１０９ｂ、２０９ｂ、３０９ｂ、４０９ｂ、５０９ｂ  指差込み用凹部
５０９ｃ  仕切り壁
Ｂ  電池
Ｗ１、Ｗ２  幅
【図１】
2015084809.tif 000003
【図２】
2015084809.tif 000004
【図３】
2015084809.tif 000005
【図４】
2015084809.tif 000006
【図５】
2015084809.tif 000007
【図６】
2015084809.tif 000008
【図７】
2015084809.tif 000009
【図８】
2015084809.tif 000010
【図９】
2015084809.tif 000011
【図１０】
2015084809.tif 000012
【図１１】
2015084809.tif 000013
【図１２】
2015084809.tif 000014
【図１３】
2015084809.tif 000015
【図１４】
2015084809.tif 000016
【図１５】
2015084809.tif 000017